(57)【特許請求の範囲】
【請求項１】
ワークの摺動面の当たり面積率を測定する方法であって、
上記摺動面の規範となる対向基準面を有する測定具を用い、塗料を塗布した上記対向基準面を上記摺動面に擦り合わせる工程と、
上記擦り合わせ工程後の摺動面の塗料付着状態をデジタルカメラで異なる複数の方向から撮影する工程と、
上記撮影工程で取得した複数の撮影画像を同一縮尺の複数の平面画像に展開する工程と、
上記展開工程で取得した複数の展開画像を用い、ハレーション部分を補完しつつ、色パラメータが所定範囲内の画素数の総画素数に対する割合を算出する工程と
を備えることを特徴とする当たり面積率の測定方法。
【請求項２】
上記擦り合わせ工程後撮影工程前に、両側枠部が一定間隔で色が変化する方形の枠体を測定領域を画定するよう上記摺動面に貼設する工程をさらに備え、
上記展開工程で、上記枠体の両側枠部の画像データに基づいて平面展開処理を行う請求項１に記載の当たり面積率の測定方法。
【請求項３】
上記枠体の両側枠部を接続する両端枠部の少なくとも一方が白色とされ、
上記算出工程前に、上記白色の枠部の色に基づいて上記複数の画像又は上記複数の展開画像のホワイトバランスを調整する工程をさらに備える請求項２に記載の当たり面積率の測定方法。
【請求項４】
上記展開工程で、上記枠体の大きさ及び両側枠部の色が変化する内側境界点数を含む枠体データに基づき、平面展開処理の基準となる両側枠部の画像データから上記枠体の反射画像を除く請求項２又は請求項３に記載の当たり面積率の測定方法。
【請求項５】
上記算出工程の色パラメータが明度である請求項１から請求項４のいずれか１項に記載の当たり面積率の測定方法。
【請求項６】
上記算出工程における算出の基礎画像として、上記複数の展開画像をそれらのハレーション部分を消去するよう合成した画像を用いる請求項１から請求項５のいずれか１項に記載の当たり面積率の測定方法。
【請求項７】
上記算出工程で、上記複数の展開画像を同じ複数の領域毎に分割し、上記複数の展開画像の分割領域毎に色パラメータが所定範囲内の画素数を算出し、分割領域毎に上記色パラメータが所定範囲内の画素数の最大値を選択し、展開画像の総画素数に対する選択した分割領域毎の画素数の合計の比率を算出する請求項１から請求項５のいずれか１項に記載の当たり面積率の測定方法。
【請求項８】
上記算出工程における算出の基礎画像として、上記複数の展開画像から特定の展開画像を選択し、その特定展開画像からハレーション部分を消去し、その消去したハレーション部分に他の展開画像の相当部分を補填した画像を用いる請求項１から請求項５のいずれか１項に記載の当たり面積率の測定方法。
【発明の詳細な説明】
【技術分野】
【０００１】
本発明は、当たり面積率の測定方法に関する。
【背景技術】
【０００２】
機械部品の検査として、例えばクランク軸の軸受に対する摺動面等の金属摺動面の対向面に対する当たり検査が広く行われている。この当たり検査とは、摺動面の規範となる対向基準面を有する測定具に一定量の検査用塗料を塗布し、この対向基準面を検査対象の摺動面に擦り合わせて検査用塗料が転写された領域を対向基準面に当接する当たりと判断する試験である。
【０００３】
一般に、当たり検査では、検査用塗料が転写された領域の面積が一定の割合以上であるものを良品と判定するが、この判断は、摺動面の色合いを観察することにより、感覚的に行われることが多い。具体的には、仕上げ精度が良品と不良品との境界である摺動面のサンプルの当たり試験において検査用塗料が転写された摺動面の写真を撮影し、この写真と当たり試験における検査対象の摺動面とを目視により比較することで、写真よりも転写面積が大きいと思われるものを良品とし、写真よりも転写面積が小さいと思われるものを不良品とする。しかし、このような人間の感覚に頼る判定方法では、判定基準があいまいであり、製品の厳密な管理を行うことはできない。
【０００４】
そこで、検査用塗料が転写された摺動面を撮影して得られる画像データから当たり面積を算出し、定量的に評価する方法も提案されている（例えば特開２００４−２２０２４４号公報参照）。つまり、画像データ中で色パラメータが所定の条件を満たす画素を当たりと判定し、当たりの画素数をカウントすることにより当たり面積を算出して数値により製品の良否を判定することができる。また、この公報には、複数回撮影した画像を平均化した画像データ用いることや、画像データからノイズを除去することも記載されている。
【０００５】
しかしながら、上記公報に記載の当たり面積の算出方法では、撮影した画像中にハレーションがあると、当たり面積を正確に算出できないという不都合がある。つまり、鏡面仕上げされる摺動面を撮影する場合、例えば窓、照明等が摺動面に映り込むことによって、画像の一部が白色となるハレーションが発生し、検査用塗料の有無を判断できないことがある。大量生産する部品や持ち運びが容易な小型の部品を検査する場合には、撮影環境を整えることによってハレーションを防止することが可能である。しかしながら、特に小ロットの大型部品の摺動面を検査する場合には、ハレーションの防止が容易ではないことが多い。
【先行技術文献】
【特許文献】
【０００６】
【特許文献１】特開２００４−２２０２４４号公報
【発明の概要】
【発明が解決しようとする課題】
【０００７】
上記不都合に鑑みて、本発明は、当たり面積率を定量的かつ比較的正確に算出できる当たり面積率の測定方法を提供することを課題とする。
【課題を解決するための手段】
【０００８】
上記課題を解決するためになされた発明は、ワークの摺動面の当たり面積率を測定する方法であって、上記摺動面の規範となる対向基準面を有する測定具を用い、塗料を塗布した上記対向基準面を上記摺動面に擦り合わせる工程と、上記擦り合わせ工程後の摺動面の塗料付着状態をデジタルカメラで異なる複数の方向から撮影する工程と、上記撮影工程で取得した複数の撮影画像を同一縮尺の複数の平面画像に展開する工程と、上記展開工程で取得した複数の展開画像を用い、ハレーション部分を補完しつつ、色パラメータが所定範囲内の画素数の総画素数に対する割合を算出する工程とを備えることを特徴とする当たり面積率の測定方法である。
【０００９】
当該当たり面積率の測定方法は、デジタルカメラで撮影した撮影画像を平面展開しつつ当たり面積率を定量的に算出するので、摺動面の良否を定量的に評価することができる。また、当該当たり面積率の測定方法では、複数の画像を撮影してハレーションを補完するので撮影環境を選ばず、比較的正確に当たり面積率を算出することができる。
【００１０】
上記擦り合わせ工程後撮影工程前に、両側枠部が一定間隔で色が変化する方形の枠体を測定領域を画定するよう上記摺動面に貼設する工程をさらに備え、上記展開工程で、上記枠体の両側枠部の画像データに基づいて平面展開処理を行うとよい。このように、貼着した枠体の画像データに基づいて平面展開処理を行うことによって、摺動面の測定範囲を精度よく平面展開することができる。
【００１１】
上記枠体の両側枠部を接続する両端枠部の少なくとも一方が白色とされ、上記算出工程前に、上記白色の枠部の色に基づいて上記複数の画像又は上記複数の展開画像のホワイトバランスを調整する工程をさらに備えるとよい。このように、枠体の一部を白色としてホワイトバランスを調整することによって、展開画像中の各画素への塗料の付着の有無をより正確に判定することができる。
【００１２】
上記展開工程で、上記枠体の大きさ及び両側枠部の色が変化する内側境界点数を含む枠体データに基づき、平面展開処理の基準となる両側枠部の画像データから上記枠体の反射画像を除くとよい。このように、枠体データに基づいて両側枠部の画像データから反射画像を除くことによって、撮影した画像中の摺動面の測定範囲をより正確に平面展開することができる。
【００１３】
上記算出工程の色パラメータが明度であるとよい。このように、塗料の付着の判定に明度を用いることによって、当たり面積率を比較的容易かつ正確に算出できる。
【００１４】
上記算出工程における算出の基礎画像として、上記複数の展開画像をそれらのハレーション部分を消去するよう合成した画像を用いるとよい。このように、ハレーション部分を消去するよう複数の展開画像を合成することにより、ハレーション部分の補完がより確実となり、面積率の誤差をより小さくすることができる。
【００１５】
上記算出工程で、上記複数の展開画像を同じ複数の領域毎に分割し、上記複数の展開画像の分割領域毎に色パラメータが所定範囲内の画素数を算出し、分割領域毎に上記色パラメータが所定範囲内の画素数の最大値を選択し、展開画像の総画素数に対する選択した分割領域毎の画素数の合計の比率を算出するとよい。ハレーション部分では、塗料の付着している部分の画素の色パラメータも塗料の色に対応する範囲の外となる。このため、複数の展開画像をそれぞれ複数に分割し、分割した画像毎に塗料に対応する色パラメータを有する画素の数を算出し、同じ部分の分割画像の中で最も塗料に対応する色パラメータの画素数が多い分割画像を選択することで、ハレーションが最も少ない分割画像を選択することができる。このハレーションが少ない分割画像の塗料に対応する色パラメータの画素数を積算することで、摺動面の測定領域の塗料が付着している当たり部分の面積をより正確に算出でき、これを展開画像の総画素数で除することにより、当たり面積率を精度よく導出できる。
【００１６】
上記算出工程における算出の基礎画像として、上記複数の展開画像から特定の展開画像を選択し、その特定展開画像からハレーション部分を消去し、その消去したハレーション部分に他の展開画像の相当部分を補填した画像を用いるとよい。このように、いずれかの展開画像のハレーション部分を他の展開画像のデータで補填することによっても、ハレーションの少ない画像を得ることができ、当たり面積率を精度よく導出できる。
【００１７】
ここで、「色パラメータ」とは、色を数値化して特定するパラメータを意味し、例えば［Ｈ（色相：Ｈｕｅ），Ｓ（彩度：Ｓａｔｕａｔｉｏｎ），Ｖ（明度：Ｖａｌｕｅ，Ｂｌｉｇｈｔｎｅｓｓ）］、［Ｒ（赤），Ｇ（緑），Ｂ（青）〕、［Ｙ（イエロー），Ｃ（シアン），Ｍ（マゼンタ），Ｋ（キー・プレート）］等のいずれかの組若しくはいずれかの組の１以上の要素又はこれらの関数として得られる数値情報を意味する。
【発明の効果】
【００１８】
本発明の当たり面積率の測定方法は、当たり面積率を定量的かつ比較的正確に算出することができる。
【図面の簡単な説明】
【００１９】
【図１】本発明の一実施形態の当たり面積率の測定方法の手順を示すフローチャートである。
【図２】図１の当たり面積率の測定方法により摺動面の当たり面積率が測定されるワークの一例たるクランク軸の模式的平面図である。
【図３Ａ】図１の当たり面積率の測定方法で用いる測定具の対向基準面側を示す模式的斜視図である。
【図３Ｂ】図３Ａの測定具の反対面側を示す模式的斜視図である。
【図４】図１の当たり面積率の測定方法で用いる枠体の模式的平面図である。
【図５】図１の当たり面積率の測定方法の撮影工程において撮影される撮影画像を例示する図である。
【図６】図１の当たり面積率の測定方法の展開工程の詳細な手順を示すフローチャートである。
【図７】図５の撮影画像を用いて図６の座標特定工程で内側境界点を特定した状態を示す図である。
【図８】図７の状態から図６の判別工程で反射画像の内側境界点を除いた状態を例示する図である。
【図９Ａ】図１の当たり面積率の測定方法の展開工程において得られる展開画像を示す図である。
【図９Ｂ】図９Ａとは異なる位置で撮影した撮影画像の展開画像を例示する図である。
【図９Ｃ】図９Ａ及び図９Ｂとは異なる位置で撮影した撮影画像の展開画像を例示する図である。
【図１０】図１の当たり面積率の測定方法の算出工程の詳細な手順を示すフローチャートである。
【図１１】図１０の合成画像形成工程で作成される合成画像を例示する図である。
【図１２】図１の当たり面積率の測定方法に適用できる図１０とは異なる算出工程の詳細な手順を示すフローチャートである。
【図１３】本発明の一つの試験例におけるコンピュータプログラムの実行画面である。
【図１４】図１３とは異なる試験例におけるコンピュータプログラムの実行画面である。
【発明を実施するための形態】
【００２０】
以下、適宜図面を参照しつつ、本発明の実施の形態を詳説する。
【００２１】
［第一実施形態］
図１に本発明の一実施形態に係る当たり面積率の測定方法の手順を示す。当該当たり面積率の測定方法は、ワークの摺動面の当たり面積率を測定する方法である。
【００２２】
図１の当たり面積率の測定方法は、ワークの摺動面の規範となる対向基準面を有する測定具を用意し、この測定具の対向基準面に検査用の塗料を塗布する工程（ステップＳ１：塗布工程）と、このステップＳ１で塗料を塗布した測定具の対向基準面をワークの摺動面に擦り合わせる工程（ステップＳ２：擦り合わせ工程）と、このステップＳ２で対向基準面が擦り合された摺動面に所定の測定領域を画定するよう方形の枠体を貼設する工程（ステップＳ３：貼設工程）と、このステップＳ３で枠体を貼設した摺動面の測定領域の塗料付着状態をデジタルカメラで異なる複数の方向から撮影する工程（ステップＳ４：撮影工程）と、このステップＳ４の撮影工程で得た複数の撮影画像のホワイトバランスを調整する工程（ステップＳ５：ホワイトバランス調整工程）と、ステップＳ４の撮影工程で取得し、ステップＳ５のホワイトバランス調整工程でホワイトバランスを調整した複数の撮影画像を同一縮尺の複数の平面画像に展開する工程（ステップＳ６：展開工程）と、このステップＳ６の展開工程で平面展開した複数の展開画像を用い、ハレーション部分を補完しつつ、色パラメータが所定範囲内の画素数の総画素数に対する割合を算出する工程（ステップＳ７：算出工程）とを備える。
【００２３】
当該当たり面積率の測定方法において摺動面の当たり面積率を測定する摺動面としては、特に限定されないが、例えばクランク軸の主軸やピンの摺動面、メタル軸受の摺動面等、主に金属同士で接触する摺動面が想定される。以下の実施形態では、図２に示すように、主軸１１、アーム１２及びピン１３を有するクランク軸をワーク１０とし、そのピン１３の外周の摺動面１４の当たり面積率を測定する場合を例にとって説明する。勿論、当該当たり面積率の測定方法は、クランク軸１０の主軸１１の外周面の当たり面積率測定等にも適用できる。
【００２４】
当該当たり面積率の測定方法を適用する摺動面１４の測定領域の面積の下限としては、０．０１ｍ２が好ましく、０．１ｍ２がより好ましい。摺動面１４の測定領域の面積の上限としては、１０ｍ２が好ましく、１ｍ２がより好ましい。摺動面１４の測定領域の面積が上記下限に満たない場合、当該当たり面積率の測定方法を適用しなくても、ハレーションが生じないように照明や自然光を遮断することが比較的容易であり、当該当たり面積率の測定方法に有利性が得られないおそれがある。一方、摺動面１４の測定領域の面積が上記上限を超える場合、後述するステップＳ２の擦り合わせ工程を行うことが困難となるおそれがある。
【００２５】
＜塗布工程＞
ステップＳ１の塗布工程では、先ず、例えば図３Ａ及び図３Ｂに示すような規範となる対向基準面２１を有する測定具２０を用意し、この測定具２０の対向基準面２１に一定量の検査用塗料Ｐを均一に塗り広げて薄く塗布する。測定具２０は、後述するステップＳ２の擦り合わせ工程において、オペレータが把持するハンドル２２を有してもよい。
【００２６】
この塗布工程において測定具２０の対向基準面２１に塗布する塗料Ｐとしては、例えば光明丹（四酸化三鉛）等の顔料を含む市販の当たり検査用塗料を用いることができ、塗料Ｐに含まれる顔料としては、光明丹のような赤色のものだけでなく、青色のもの等も用いることができる。つまり、塗料Ｐの色相（Ｈｕｅ）は、特に限定されない。
【００２７】
また、塗料Ｐの彩度（Ｓａｔｕｒａｔｉｏｎ）の下限としては、２０／２５５が好ましく、５０／２５５がより好ましい。一方、塗料の彩度の上限としては、特に限定されない。塗料の彩度が上記下限に満たない場合、摺動面の彩度との差が小さく、塗料の付着の有無を判別し難くなるおそれがある。
【００２８】
また、塗料Ｐの明度（Ｖａｌｕｅ，Ｂｌｉｇｈｔｎｅｓｓ）の下限としては、３０／２５５が好ましく、５０／２５５がより好ましい。一方、塗料の明度の上限としては、特に限定されない。塗料の明度が上記下限に満たない場合、摺動面の明度との差が小さく、塗料の付着の有無を判別し難くなるおそれがある。
【００２９】
＜擦り合わせ工程＞
ステップＳ２の擦り合わせ工程では、ステップＳ１の塗布工程で塗料Ｐが塗布された測定具２０の対向基準面２１を、例えばハンドル２２を把持してワーク１０の摺動面１４に擦り合わせる。これにより、摺動面１４の対向基準面２１に当接する部分に塗料Ｐが転写される。摺動面１４が対向基準面２１の厳密な倣い形状に近くなると、塗料Ｐが転写される摺動面１４の面積が大きくなる。従って、塗料Ｐが転写された面積が大きい程、摺動面１４の仕上げ精度が高いということができる。
【００３０】
＜貼設工程＞
ステップＳ３の貼設工程では、ワーク１０の摺動面１４の測定領域の周囲に、図４に示すような方形の枠体３０を貼設する。枠体３０の貼設方法としては、例えば枠体３０をマグネットシート（ゴム磁石）で形成することにより、磁力によりワーク１０に吸着させる方法が適用可能である。
【００３１】
測定領域の範囲としては、一度に撮影可能な範囲であればよいが、摺動面１４が円筒面である場合、測定領域の摺動面１４の中心軸を基準とする角度範囲の下限としては、３０°が好ましく、５０°がより好ましい。一方、測定領域の摺動面１４の中心軸を基準とする角度範囲の上限として９０°が好ましく、７０°がより好ましい。測定領域の摺動面１４の中心軸を基準とする角度範囲が上記下限に満たない場合、摺動面１４の全体を評価するために、当該当たり面積率の測定方法を測定領域をずらしつつ多くの回数繰り返す必要が生じるおそれがある。逆に、測定領域の摺動面１４の中心軸を基準とする角度範囲が上記上限を超える場合、撮影領域Ａの端部で摺動面１４のデジタルカメラに対する傾斜角度が大きくなり、摺動面の単位面積あたりの撮影画像の画素数が小さくなり、当たり面積率の測定精度が不十分となるおそれがある。
【００３２】
（枠体）
上記枠体３０は、一対の両側枠部３１，３２と、これら一対の両側枠部３１，３２の端部間を接続する一対の両端枠部３３，３４とを有する。上記枠体３０は、これら両側枠部３１，３２及び両端枠部３３，３４の内周縁により摺動面１４の測定領域を画定する。なお、両側枠部３１，３２は、方形の枠体３０の長辺部であることが好ましいが、枠体３０の短辺部であってもよい。
【００３３】
上記両側枠部３１，３２は、一定間隔で色が変化するよう交互に配置される複数の第１着色部３５及び複数の第２着色部３６を形成するよう着色される。第１着色部３５及び第２着色部３６の色相としては、第１着色部３５及び第２着色部３６の他方並びに塗料Ｐと好ましくは９０°以上、より好ましくは１１０°以上、理想的には１２０°異なる色相とされる。具体例として、塗料Ｐとして赤色の光明丹を用いる場合、第１着色部３５及び第２着色部３６の色としては、それぞれ緑色及び青色とされることが好ましい。塗料Ｐ、第１着色部３５及び第２着色部３６の色相の差が上記下限に満たない場合、後述するステップＳ６の展開工程において、塗料Ｐ、第１着色部３５及び第２着色部３６の色を判別することが容易でなくなるおそれがある。
【００３４】
第１着色部３５及び第２着色部３６の彩度の下限としては、３０／２５５が好ましく、５０／２５５がより好ましい。第１着色部３５及び第２着色部３６の彩度が上記下限に満たない場合にも、ステップＳ６の展開工程において、塗料Ｐ、第１着色部３５及び第２着色部３６の色を判別することが容易でなくなるおそれがある。
【００３５】
第１着色部３５及び第２着色部３６の明度の下限としては、２０／２５５が好ましく、５０／２５５がより好ましい。第１着色部３５及び第２着色部３６の明度が上記下限に満たない場合も、ステップＳ６の展開工程において、塗料Ｐ、第１着色部３５及び第２着色部３６の色を判別することが容易でなくなるおそれがある。
【００３６】
両側枠部３１，３２の色が変化する平均間隔（第１着色部３５及び第２着色部３６の平均長さ）の下限としては、測定領域の長手方向の長さの１／３０が好ましく１／２０がより好ましい。一方、両側枠部３１，３２の色が変化する平均間隔の上限としては、測定領域の長手方向の長さの１／５が好ましく、１／１０がより好ましい。両側枠部３１，３２の色が変化する平均間隔が上記下限に満たない場合、撮影画像中の基準点が多くなることにより、後述の算出工程における演算負荷が必要以上に大きくなるおそれがある。逆に、両側枠部３１，３２の色が変化する平均間隔が上記上限を超える場合、後述するステップＳ６の展開工程において撮影画像を正確に平面展開することができず、当たり面積率の測定精度が不十分となるおそれがある。
【００３７】
両側枠部３１，３２の色が変化する平均間隔の具体的距離の下限としては、摺動面１４の大きさにもよるが、１ｃｍが好ましく、２ｃｍがより好ましい。一方、両側枠部３１，３２の色が変化する平均間隔の具体的距離の上限としては、２０ｃｍが好ましく、１０ｃｍがより好ましい。
【００３８】
両側枠部３１，３２の平均幅の下限としては、０．５ｃｍが好ましく、１ｃｍがより好ましい。一方、両側枠部３１，３２の平均幅の上限としては、５ｃｍが好ましく、２ｃｍがより好ましい。両側枠部３１，３２の平均幅が上記下限に満たない場合、後述するステップＳ６の展開工程において第１着色部３５及び第２着色部３６の境界を認識することが容易でなくなるおそれや、枠体３０の強度が不十分となるおそれがある。逆に、両側枠部３１，３２の平均幅が上記上限を超える場合、摺動面１４の両側に両側枠部３１，３２を貼設するスペースを確保できず、摺動面１４の両端部に測定領域を設定できないおそれがある。
【００３９】
また、両端枠部３３，３４の少なくとも一方は、白色とされる。このように、両端枠部３３，３４のいずれかを白色とすることにより、後述のステップＳ５のホワイトバランス調整工程において、各撮影画像のホワイトバランスを適切に調整することができ、当たり面積率の測定精度を向上することができる。
【００４０】
この両端枠部３３，３４の平均幅の下限としては、１ｃｍが好ましく、１．５ｃｍがより好ましい。一方、両端枠部３３，３４の平均幅の上限としては、ワーク１０の形状によるため制限されない。両端枠部３３，３４の平均幅が上記下限に満たない場合、ステップＳ５のホワイトバランス調整工程におけるホワイトバランスの調整が不十分となるおそれがある。逆に、両端枠部３３，３４の平均幅が上記上限を超える場合、枠体３０が不必要に大きくなるおそれがある。
【００４１】
＜撮影工程＞
ステップＳ４の撮影工程では、測定領域の外周に枠体３０を貼設した摺動面１４を異なる複数の方向からデジタルカメラで撮影する。図５に、この撮影工程で得られる撮影画像の例を示す。撮影画像中には、帯状に蛍光灯が映り込んだ複数のハレーションが存在するが、同じ摺動面１４を異なる方向から撮影することにより、ハレーションが存在する位置が異なる複数の撮影画像を取得することができる。例えばハレーションの位置を撮影画像中で上下方向に異ならせたい場合には、撮影位置を撮影画像における上下の方向に移動するよう撮影方向を変更すればよい。
【００４２】
上記摺動面１４の撮影枚数の下限としては、２枚であり、３枚が好ましい。一方、摺動面１４の撮影枚数の上限としては、７枚が好ましく、５枚がより好ましい。摺動面１４の撮影枚数が上記下限に満たない場合、ハレーション部分の補完が不可能又は不十分となるおそれがある。逆に、摺動面１４の撮影枚数が上記上限を超える場合、後述するステップＳ７の算出工程における演算負荷が不必要に大きくなり、当たり面積率の測定に時間がかるおそれや、使用するコンピュータ等の機器が高価となるおそれがある。
【００４３】
撮影する画像の総画素数の下限としては、６０万画素が好ましく、１００万画素がより好ましい。一方、撮影する画像の総画素数の上限としては、１０００万画素が好ましく、５００万画素がより好ましい。撮影する画像の総画素数が上記下限に満たない場合、解像度不足により当たり面積率の測定精度が不十分となるおそれがある。逆に、撮影する画像の総画素数が上記上限を超える場合、算出工程における演算負荷が大きくなり、当たり面積率の測定に時間がかるおそれがある。
【００４４】
＜ホワイトバランス調整工程＞
ステップＳ５のホワイトバランス調整工程では、撮影画像中の両端枠部３３，３４のうちの白色のものの画像データに基づいてホワイトバランスを調整する。具体的には、白色の両端枠部を認識し、この両端枠部の色が予め設定される所定の色温度となるよう、撮影画像全体の色を補正する。色温度の補正方法としては公知の方法が適用できる。このため、ホワイトバランス調整工程の具体的な処理については詳細な説明を省略する。
【００４５】
＜展開工程＞
ステップＳ６の展開工程では、ステップＳ４で撮影され、ステップＳ５のホワイトバランス調整工程で調整された複数の撮影画像を、両側枠部３１，３２の第１着色部３５及び第２着色部３６の画像データに基づいて、両側枠部３１，３２の間に位置する摺動面１４の測定領域の画像を所定の方形状に引き伸ばして、同一縮尺かつ同一範囲の複数の平面画像にそれぞれ展開する。
【００４６】
より詳しくは、ステップＳ６の展開工程は、図６に図示するように、各撮影画像における第１着色部３５及び第２着色部３６の色を認識する工程（ステップＳ１１：認識工程）と、この認識工程での認識結果に基づいて両側枠部３１，３２の色が変化する内側境界点、つまり第１着色部３５と第２着色部３６との境界線の内側端部の座標を特定する工程（ステップＳ１２：座標特定工程）と、予め記憶された枠体３０の大きさ及び両側枠部３１，３２の色が変化する内側境界点数を含む枠体データに基づき、上記座標特定工程で特定された内側境界点の中から、直接撮影された枠体３０の実体画像による内側境界点を判別する工程（ステップＳ１３：判別工程）と、この画像判別工程で判別された直接撮影された枠体３０の実体画像データに基づき、両側枠部３１，３２の反射画像を除く摺動面１４の測定領域の画像を選択的に平面展開処理する工程（ステップＳ１４：平面展開処理工程）とを有する。
【００４７】
（認識工程）
ステップＳ１１の認識工程では、撮影画像の画像データから、色パラメータが両側枠部３１，３２の色に対応する範囲内である画素、つまり第１着色部３５に対応する画素及び第２着色部３６に対応する画素をそれぞれ識別する。
【００４８】
両側枠部３１，３２の第１着色部３５の色に対応する色パラメータの範囲としては、例えば両側枠部３１，３２の第１着色部３５が緑色に着色されている場合、色相７３°以上１８３°以下、彩度１８／２５５以上、かつ明度２９／２５５以上とすることができる。また、両側枠部３１，３２の第２着色部３６の色に対応する色パラメータの範囲としては、例えば第２着色部３６が青色に着色されている場合、色相１３８°以上２４０°以下、彩度４８／２５５以上、かつ明度６２／２５５以上とすることができる。
【００４９】
（座標特定工程）
ステップＳ１２の座標特定工程では、ステップＳ１１の認識工程で認識した第１着色部３５及び第２着色部３６の画素の座標データを基に、両側枠部３１，３２の色が変化する内側境界点を抽出する。具体的には、第１着色部３５及び第２着色部３６の一方に対応する画素の中で、両側枠部３１，３２の長さ方向一方側及び両側枠部３１，３２の幅方向一方側に同じ色の画素が隣接し、両側枠部３１，３２の長さ方向他方側に第１着色部３５及び第２着色部３６の他方に対応する画素が隣接し、両側枠部３１，３２の幅方向他方側に第１着色部３５及び第２着色部３６のいずれに対応する画素も隣接していない座標を抽出する。
【００５０】
このとき、ノイズを除去する処理や、所定画素だけ離れた画素も隣接していると認識することにより、内側境界点のご検出を抑制することができる。しかしながら、図２のクランク軸１０では、摺動面１４の両外側に摺動面に垂直な側面を有するアーム１２が存在している。このような場合、撮影画像には、図７に示すように、両側枠部３１，３２を直接撮影した画像の両外側に、アーム１２の側面に両側枠部３１，３２が映り込んだ反射画像が含まれる可能性がある。すると、上記の内側境界点の特定方法では、図７に十字で示すように、本来の内側境界点の列の外側にも、反射画像による内側境界点の列が抽出されてしまう。
【００５１】
（判別工程）
そこで、ステップＳ１３の判別工程では、予め記憶した枠体３０の大きさ及び両側枠部３１，３２の色が変化する内側境界点数を含む枠体データに基づいて、両側枠部３１，３２を直接撮影した画像による内側境界点を判別し、図８に示すように、反射画像による疑似の内側境界点を除外し、摺動面１４の測定領域の外縁を真に示す内側境界点のみを抽出する。
【００５２】
（平面展開処理工程）
ステップＳ１４の平面展開処理工程では、上記内側境界点の内側の画像データを、所定の縮尺の平面画像に展開した展開画像データを生成する。具体的には、枠体３０毎に予め定められる縦横の画素数を有する長方形の画像であって上記内側境界点が両側縁に所定ピッチで等間隔に配置される展開画像を形成するよう、撮影画像を引き延ばす。画像の引き伸ばし方法としては、公知の処理方法を適用することができる。
【００５３】
この展開工程において、ステップＳ４の撮影工程で撮影した撮影画像にそれぞれ対応する複数の展開画像が得られる。ここで得られる複数の展開画像は、例えば図９Ａ〜９Ｃに示すように、それぞれ異なる位置にハレーションが含まれた画像となる。
【００５４】
＜算出工程＞
ステップＳ７の算出工程では、上記複数の展開画像を用い、ハレーション部分を補完しつつ、色パラメータが所定範囲内の画素数の展開画像１枚当たりの総画素数に対する割合を算出する。
【００５５】
この算出工程は、詳しく説明すると、図１０に示すように、各展開画像を同じ複数の分割領域に分割してそれぞれ複数の分割領域を設定する工程（ステップＳ２１：分割領域設定工程）と、分割領域毎に色パラメータが所定範囲内の画素数を算出する工程（ステップＳ２２：画素数算出工程）と、分割領域毎に上記色パラメータが所定範囲内の画素数の最大値を選択する工程（ステップＳ２３：最大値選択工程）と、最大値を選択した分割領域の画像データを繋ぎ合せて１つの合成画像を形成する工程（ステップＳ２４：合成画像形成工程）と、ステップＳ２３の最大値選択工程で選択した分割領域毎の最大値の合計を算出する工程（ステップＳ２５：合計算出工程）と、この合計算出工程で算出した合計値の展開画像の総画素数に対する比率を算出する工程（ステップＳ２６：比率算出工程）とを有する。
【００５６】
（分割領域設定工程）
ステップＳ２１の分割領域設定工程では、上記ステップＳ６の展開工程で取得した複数の展開画像を等しく分割する。ここで、等しく分割するとは、展開画像間で分割位置が異ならないことを意味し、同一の展開画像から分割される複数の分割領域の形状や大きさが等しいことは必ずしも要求されない。しかしながら、演算負荷の低減及びハレーションの除去の確実性の観点から、同一の展開画像から分割される複数の分割領域が全て等しい形状及び大きさとなるようにすることが好ましい。
【００５７】
分割領域の形状としては、展開画像を互いに平行な複数の境界線で分割した帯状とすることが好ましい。また、その複数の境界線が各ハレーションの延在する方向に平行であることが好ましい。例えば、図９Ａ〜図９Ｃの展開画像の場合には、水平な境界線に沿って水平方向に延在する複数の帯状に分割することが好ましい。
【００５８】
各展開画像の分割数の下限としては、５が好ましく、１０がより好ましい。一方、各展開画像の分割数の上限としては、５０が好ましく、３０がより好ましい。各展開画像の分割数が上記下限に満たない場合、対応する位置の複数の分割領域の画像中にハレーションを含まないものが存在しないおそれがある。逆に、各展開画像の分割数が上記上限を超える場合、演算負荷が不必要に増大するおそれがある。また、各展開画像を分割する境界線は、枠体３０の対向する第１着色部３５及び第２着色部３６の境界間を接続する直線であってもよい。これにより、この分割領域設定工程と、ステップＳ６の展開工程とを一体的に効率よく行うことができる。
【００５９】
（画素数算出工程）
ステップＳ２２の画素数算出工程では、各分割領域内の画素の中で、色パラメータが塗料Ｐの色に対応する所定範囲内であるものの画素数をそれぞれカウントする。
【００６０】
塗料Ｐに対応する色パラメータの範囲としては、塗料に応じて適宜設定されるが、例えば赤色の塗料Ｐを用いる場合、色相０°以上４５°以下又は３３５°以上３６０°以下、換言すると０°を中心に±４５°以内、彩度２７／２５５以上、かつ明度３０／２５５以上とすることができる。
【００６１】
（最大値選択工程）
ステップＳ２３の最大値選択工程では、ステップＳ２２の画素数算出工程で算出した画素数が最大となる展開画像を各分割領域毎に選択する。各分割領域の画像においてハレーションの存在する部分では、塗料Ｐの色が光によって消されているため、色パラメータが塗料Ｐに対応する範囲内である画素の数が少なくなる。よって、色パラメータが塗料Ｐに対応する範囲内である画素が最大である分割領域を選択することにより、各分割領域について、複数の展開画像の中で最もハレーションが少ないものを選択することができる。
【００６２】
（合成画像形成工程）
ステップＳ２４の合成画像形成工程では、ステップＳ２３の最大値選択工程で選択された最もハレーションが少ない分割領域の画像を足し合わせることにより、ハレーションの少ない合成画像を形成する。換言すると、この合成画像形成工程では、一の展開画像の中でハレーションが多い分割領域を消去して他の展開画像の対応する分割領域の中でハレーションが少ない分割領域の画像データで補填する。これにより、図１１に例示する図９Ａ〜図９Ｃの展開画像から形成した合成画像のように、ハレーションの低減された画像を得ることができる。
【００６３】
（合計算出工程）
ステップＳ２５の合計算出工程では、ステップＳ２３で選択した分割領域毎の最大値の合計つまりは、ステップＳ２４の合成画像形成工程で形成される合成画像の中で色パラメータが塗料Ｐに対応する所定範囲内である画素数の合計を算出する。これにより、合成画像の中で摺動面１４の測定領域内で塗料Ｐが付着している領域の面積を画素数として算出する。
【００６４】
この合計算出工程では、ステップＳ２２の画素数算出工程で算出した値を用い、演算負荷を低減することができるが、ステップＳ２４の合成画像形成工程で形成した合成画像の画像データを基礎画像として、ステップＳ２２とは異なる範囲の色パラメータを有する画素の総数をカウントしてもよい。合成画像の各画素の色は摺動面１４の金属の地色と塗料Ｐの色とを塗料の付着量に応じた比で混合した色と考えることができ、鏡面に仕上げられた金属の地色は通常明度が高いので、この合計算出工程では改めて塗料Ｐの付着により明度が所定の範囲内である画素の数をカウントしてもよい。
【００６５】
このようにステップＳ２２の画素数算出工程における色パラメータの範囲と、ステップＳ２５の合計算出工程における色パラメータの範囲とを異ならせることで、ハレーションの判別精度の向上と、塗料Ｐの付着面積の測定精度の向上とを両立することができる。
【００６６】
（比率算出工程）
ステップＳ２６の比率算出工程では、ステップＳ２５の合計算出工程で算出した塗料Ｐが付着していると考えられる領域の合計画素数を一の展開画像の総画素数（合成画像の総画素数と同じ）で除算することで、摺動面１４の測定領域内で塗料が付着している領域の面積率を算出する。
【００６７】
＜利点＞
当該当たり面積率の測定方法は、デジタルカメラで撮影した画像から当たり面積率を定量的に算出するので、摺動面の良否を定量的に評価することができる。また、当該当たり面積率の測定方法では、ステップＳ７の算出工程において、図１０のフローチャートに示されるよう、複数の撮影画像を用いてハレーションを補完するので撮影環境を選ばず、比較的正確に当たり面積率を算出することができる。
【００６８】
［第二実施形態］
続いて、図１０とは異なり、図１の当たり面積率の測定方法においてステップＳ７の算出工程として適用可能な算出工程の詳細な手順を図１２に示す。
【００６９】
図１２の算出工程は、各展開画像において、つまりハレーションが存在すると判断される画素の透明度を１００％に設定して透明化する工程（ステップＳ３１：透明化工程）と、この透明化工程で部分的に画素を透明化した複数の展開画像の重ね合わせにより合成画像を形成する工程（ステップＳ３２：合成画像形成工程）と、この合成画像形成工程で形成した合成画像の色パラメータが塗料Ｐに対応する所定範囲内である画素数の合計を算出する工程（ステップＳ３３：合計算出工程）と、この合計算出工程で算出した合計値の展開画像の総画素数に対する比率を算出する工程（ステップＳ３４：比率算出工程）とを有する。
【００７０】
（透明化工程）
ステップＳ３１の透明化工程では、ハレーションが存在すると判断される画素を透明化する。このため、図１２の算出工程を用いる場合には、各画素の色の情報には、色パラメータとして、色相、彩度及び明度に加えて透明度を示す値（アルファチャンネル）が含まれる。この透明化工程で透明化される画素としては、例えば明度が所定の値以上である画素とされる。この明度の閾値としては、例えば５０／２５５とすることができる。
【００７１】
（合成画像形成工程）
ステップＳ３２の画像合成工程では、ステップＳ３１の透明化工程でハレーションが存在すると判断される画素を透明化した展開画像を重ね合わせて合成画像を得る。この時、最も上側の展開画像として、複数の展開画像から特定の展開画像（以下、特定展開画像と呼ぶことがある）を選択する。特定展開画像としては、ハレーションの最も少ない画像や、塗料の色に対応する色パラメータの画素数が最も多い画像を選択することが好ましいが、ランダム又は撮影順、コンピュータへの入力順等の画像データの内容とは無関係の基準で選択してもよい。ハレーション部分を透明化した展開画像を重ね合わせることにより、特定展開画像の透明化された部分に上から２番目の展開画像の相当部分を補填した画像が得られる。ここで、特定展開画像と上から２番目の展開画像との透明化した部分が重複する場合、さらに下側に重ね合される３番目以降の展開画像によってこの部分が補填される。以下の工程では、このようにして得られた合成画像を基礎画像として用いる。
【００７２】
（合計算出工程）
ステップＳ３３の合計算出工程では、ステップＳ３２の画像合成工程で得られた合成画像中の塗料Ｐの色に対応する範囲の色パラメータを有する画素の合計数を算出する。
【００７３】
（比率算出工程）
ステップＳ３４の比率算出工程では、ステップＳ３３の合計算出工程で算出した塗料Ｐの色に対応する画素の合計数を展開画像の総画素数で除算することで、摺動面１４の測定領域内で塗料が付着している領域の面積率を算出する。
【００７４】
当該当たり面積率の測定方法は、図１２のフローチャートに示される算出工程によって、複数の撮影画像を用いてハレーションを補完するので、撮影環境を選ばず、比較的正確に当たり面積率を算出することができる。
【００７５】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００７６】
当該当たり面積率の測定方法において、枠体の貼設を省略し、摺動面の輪郭等に基づいて平面展開を行ってよい。
【００７７】
当該当たり面積率の測定方法において、ホワイトバランス調整工程は必須ではなく、また、ホワイトバランス調整工程は平面展開工程の後に行ってもよい。また、ホワイトバランス調整に利用する白色部分は、枠体以外の形態で測定領域の近傍に配置されてもよい。
【００７８】
図１の当該当たり面積率の測定方法において、合成画像形成工程は、当たり面積率の算出には直接関与しておらず、省略することができる。但し、合成画像を形成し、目視により摺動面の色を確認することにより、従来と同様に視覚による確認が可能となり、当たり面積率の数値以外の当たり領域の偏り等を確認することもできる。また、合成画像形成工程は、合計算出工程の後又は比率算出工程の後に行ってもよい。
【００７９】
また、一定間隔で色が変化する両側枠部としては、２色に塗り分けたもの以外にも、一定間隔で一定形状のマーキング等を有するものであってもよい。
【００８０】
また、当該当たり面積率の測定方法により当たり面積率を測定する摺動面は、円筒面に限らず、平面であってもよく、任意の曲面であってもよい。
【実施例】
【００８１】
以下、実施例に基づき本発明を詳述するが、この実施例の記載に基づいて本発明が限定的に解釈されるものではない。
【００８２】
本発明の効果を確認するために、上述の第一実施形態の当たり面積率の測定方法を行うコンピュータプログラムを作成して、以下の試験を行った。
【００８３】
［試験１］
試験１として、先ず、摺動面の測定領域内に赤色の塗料が市松模様（チェック模様）に付着（塗料付着面積率５０．０００％）し、その両側に青色と緑色とが交互に配置される両側枠部が貼設された状態を模した図をシートに印刷し、この図を印刷したシートを円筒面に貼着して疑似摺動面とした。続いて、この疑似摺動面をデジタルカメラで撮影した撮影画像を上記コンピュータプログラムによって処理することにより、図中の赤色の塗料を模した部分の面積率を測定した（図１３参照）。
【００８４】
この結果、上記コンピュータプログラムにより算出された当たり面積率は、５０．６４５％であった。よって、その誤差は、わずか０．６４５％であり、当該当たり面積率の測定方法における展開処理工程による誤差が非常に小さいことが確認された。
【００８５】
［試験２］
試験２として、赤色の塗料が市松模様に付着した部分と、その上下に左右方向に延在するストライプ状に塗料が付着した部分とを有する（塗料付着面積率６３．３３３％）摺動面の測定領域の左右方向両側に青色と緑色とが交互に配置される両側枠部が貼設された状態を模した図をシートに印刷し、この図を印刷したシートを平板上に配置したものを疑似摺動面とした。続いて、この疑似摺動面をデジタルカメラで撮影した撮影画像を上記コンピュータプログラムによって処理することにより、図中の赤色の塗料を模した部分の面積率を測定した（図１４参照）。
【００８６】
この結果、上記コンピュータプログラムにより算出された当たり面積率は、６４．０５２％であった。よって、その誤差は、わずか０．７１９％であり、当該当たり面積率の測定方法における展開処理工程による誤差が非常に小さいことが重ねて確認された。
【産業上の利用可能性】
【００８７】
当該当たり面積率の測定方法は、大型で移動が容易ではなく、製造現場での測定が求められ、かつ比較的小ロットで専用製造ラインを組むことができない機械部品の摺動面の加工品質の検査に好適に利用される。
【符号の説明】
【００８８】
１０  ワーク（クランク軸）
１１  主軸
１２  アーム
１３  ピン
１４  摺動面
２０  測定具
２１  対向基準面
２２  ハンドル
３０  枠体
３１，３２  両側枠部
３３，３４  両端枠部
３５  第１着色部
３６  第２着色部
Ｐ  塗料
Ｓ１  塗布工程
Ｓ２  擦り合わせ工程
Ｓ３  貼設工程
Ｓ４  撮影工程
Ｓ５  ホワイトバランス調整工程
Ｓ６  展開工程
Ｓ７  算出工程
Ｓ１１  認識工程
Ｓ１２  座標特定工程
Ｓ１３  判別工程
Ｓ１４  平面展開処理工程
Ｓ２１  分割領域設定工程
Ｓ２２  画素数算出工程
Ｓ２３  最大値選択工程
Ｓ２４  合成画像形成工程
Ｓ２５  合計算出工程
Ｓ２６  比率算出工程
Ｓ３１  透明化工程
Ｓ３２  合成画像形成工程
Ｓ３３  合計算出工程
Ｓ３４  比率算出工程
【図１】
0006402036.tif 000002
【図２】
0006402036.tif 000003
【図３Ａ】
0006402036.tif 000004
【図３Ｂ】
0006402036.tif 000005
【図４】
0006402036.tif 000006
【図５】
0006402036.tif 000007
【図６】
0006402036.tif 000008
【図７】
0006402036.tif 000009
【図８】
0006402036.tif 000010
【図９Ａ】
0006402036.tif 000011
【図９Ｂ】
0006402036.tif 000012
【図９Ｃ】
0006402036.tif 000013
【図１０】
0006402036.tif 000014
【図１１】
0006402036.tif 000015
【図１２】
0006402036.tif 000016
【図１３】
0006402036.tif 000017
【図１４】
0006402036.tif 000018